(57)【特許請求の範囲】
【請求項１】
互いに離間した第１及び第２のレールを有する第１の鉄道軌道と互いに離間した第３及び第４のレールを有する第２の鉄道軌道とを接続することで、列車が前記第１及び第２の鉄道軌道のうち一方から他方へと走行することができる経路を構成する上昇軌道を備え、
前記上昇軌道は、
前記第１のレールの側方に配置された第１及び第２の下側支持部材（４０，４０ｃ，４０ｅ）と、
前記第２のレールの側方に配置された第３の下側支持部材（４０，４０ｃ，４０ｅ）と、
前記第１のレールの上方に配置されると共に前記第１の下側支持部材（４０，４０ｃ，４０ｅ）によって支持された、平らな第１の上側支持部材（３８，３８ｃ，３８ｅ）と、
前記第１のレールの上方に配置されると共に前記第２の下側支持部材（４０，４０ｃ，４０ｅ）によって支持された、平らな第２の上側支持部材（３８，３８ｃ，３８ｅ）と、
前記第２のレールの上方に配置されると共に前記第３の下側支持部材（４０，４０ｃ，４０ｅ）によって支持された、平らな第３の上側支持部材（３８，３８ｃ，３８ｅ）と、
前記第１の鉄道軌道の前記第１のレールと前記第２の鉄道軌道の前記第３のレールとを接続すると共に、前記第１の上側支持部材（３８，３８ｃ，３８ｅ）の上面に取り付けられた第５のレール（５０，５０ｃ，５０ｅ）と、
前記第１の鉄道軌道の前記第２のレールと前記第２の鉄道軌道の前記第４のレールとを接続すると共に、前記第２及び第３の上側支持部材（３８，３８ｃ，３８ｅ）の上面に取り付けられた第６のレール（５０，５０ｃ，５０ｅ）とを有し、
前記第５及び第６のレール（５０，５０ｃ，５０ｅ）の表面は、前記第１及び第２のレールの表面よりも高くなっていることを特徴とする、鉄道軌道用の非割込み式分岐器装置。
【請求項２】
前記第５及び第６のレール（５０，５０ｃ，５０ｅ）は、ほぼ等しい距離を維持しながら並置されており、
前記第５のレール（５０，５０ｃ，５０ｅ）のうち前記第１のレールと接続される側の端部（２２ｌ，２２ｒ）は、先端に向かうにつれて高さが低くなる傾斜面を有し、当該先端の高さが前記第１のレールの高さと略同一であり、
前記第６のレール（５０，５０ｃ，５０ｅ）のうち前記第２のレールと接続される側の端部（２２ｌ，２２ｒ）は、先端に向かうにつれて高さが低くなる傾斜面を有し、当該先端の高さが前記第２のレールの高さと略同一であり、
前記第５のレール（５０，５０ｃ，５０ｅ）のうち前記第１のレールと接続される側の端部（２２ｌ，２２ｒ）及び第６のレール（５０，５０ｃ，５０ｅ）のうち前記第２のレールと接続される側の端部（２２ｌ，２２ｒ）は、高さの差を回避すべく同時に傾斜していることを特徴とする、請求項１に記載の装置。
【請求項３】
前記第１及び第２の下側支持部材（４０，４０ｃ，４０ｅ）は、前記第１のレールに対して平行となるように配置されており、
前記第３の下側支持部材（４０，４０ｃ，４０ｅ）は、前記第２のレールに対して平行となるように配置されていることを特徴とする、請求項１又は２に記載の装置。
【請求項４】
前記第１の下側支持部材（４０，４０ｃ，４０ｅ）及び前記第１の上側支持部材（３８，３８ｃ，３８ｅ）は、前記第１のレールに対して第１の固定手段（４８，４８ｃ）によって固定されており、
前記第２の下側支持部材（４０，４０ｃ，４０ｅ）及び前記第２の上側支持部材（３８，３８ｃ，３８ｅ）は、前記第１のレールに対して第２の固定手段（４８，４８ｃ）によって固定されており、
前記第３の下側支持部材（４０，４０ｃ，４０ｅ）及び前記第３の上側支持部材（３８，３８ｃ，３８ｅ）は、前記第２のレールに対して第３の固定手段（４８，４８ｃ）によって固定されていることを特徴とする、請求項１〜３のいずれか一項に記載の装置。
【請求項５】
前記第１の上側支持部材（３８，３８ｃ，３８ｅ）は、前記第１のレールよりも実質的に幅広くなっており、
前記第２の上側支持部材（３８，３８ｃ，３８ｅ）は、前記第１のレールよりも実質的に幅広くなっており、
前記第３の上側支持部材（３８，３８ｃ，３８ｅ）は、前記第２のレールよりも実質的に幅広くなっていることを特徴とする、請求項１〜４のいずれか一項に記載の装置。
【請求項６】
前記第１〜第３の上側支持部材（３８，３８ｃ，３８ｅ）は、矩形の板状部材であることを特徴とする、請求項５に記載の装置。
【請求項７】
前記第１の上側支持部材（３８，３８ｃ，３８ｅ）の下面には、前記第１のレールと係合する第１の一対のガイド手段（６０，６０ｃ）が取り付けられており、
前記第２の上側支持部材（３８，３８ｃ，３８ｅ）の下面には、前記第１のレールと係合する第２の一対のガイド手段（６０，６０ｃ）が取り付けられており、
前記第３の上側支持部材（３８，３８ｃ，３８ｅ）の下面には、前記第２のレールと係合する第３の一対のガイド手段（６０，６０ｃ）が取り付けられていることを特徴とする、請求項１〜６のいずれか一項に記載の装置。
【請求項８】
前記第１の一対のガイド手段（６０，６０ｃ）は、前記第１の上側支持部材（３８，３８ｃ，３８ｅ）の長手方向に沿って延びており、
前記第２の一対のガイド手段（６０，６０ｃ）は、前記第２の上側支持部材（３８，３８ｃ，３８ｅ）の長手方向に沿って延びており、
前記第３の一対のガイド手段（６０，６０ｃ）は、前記第３の上側支持部材（３８，３８ｃ，３８ｅ）の長手方向に沿って延びていることを特徴とする、請求項７に記載の装置。
【請求項９】
前記第１の下側支持部材（４０，４０ｃ，４０ｅ）及び前記第１の上側支持部材（３８，３８ｃ，３８ｅ）は、前記第１のレールから取り外し可能であり、
前記第２の下側支持部材（４０，４０ｃ，４０ｅ）及び前記第２の上側支持部材（３８，３８ｃ，３８ｅ）は、前記第１のレールから取り外し可能であり、
前記第３の下側支持部材（４０，４０ｃ，４０ｅ）及び前記第３の上側支持部材（３８，３８ｃ，３８ｅ）は、前記第２のレールから取り外し可能であることを特徴とする、請求項１〜８のいずれか一項に記載の装置。
【請求項１０】
前記第１の上側支持部材（３８，３８ｃ，３８ｅ）の下面は、前記第１の下側支持部材（４０，４０ｃ，４０ｅ）の最上面と接合されており、
前記第２の上側支持部材（３８，３８ｃ，３８ｅ）の下面は、前記第２の下側支持部材（４０，４０ｃ，４０ｅ）の最上面と接合されており、
前記第３の上側支持部材（３８，３８ｃ，３８ｅ）の下面は、前記第３の下側支持部材（４０，４０ｃ，４０ｅ）の最上面と接合されていることを特徴とする、請求項１〜９のいずれか一項に記載の装置。
【請求項１１】
上方から見て前記第５のレール（５０，５０ｃ，５０ｅ）と前記第１のレールとが交差している部分における前記第５のレール（５０，５０ｃ，５０ｅ）の高さと前記第１のレールの高さとの差は、列車の車輪（７）のフランジ部分の深さよりも大きく、
上方から見て前記第６のレール（５０，５０ｃ，５０ｅ）と前記第２のレールとが交差している部分における前記第６のレール（５０，５０ｃ，５０ｅ）の高さと前記第２のレールの高さとの差は、列車の車輪（７）のフランジ部分の深さよりも大きいことを特徴とする、請求項１〜１０のいずれか一項に記載の装置。
【請求項１２】
前記第５及び第６のレール（５０，５０ｃ，５０ｅ）は、複数のレール部材によって構成されており、
前記複数のレール部材の少なくとも一つは、所定の湾曲半径を有していることを特徴とする、請求項１〜１１のいずれか一項に記載の装置。
【請求項１３】
前記第５及び第６のレール（５０，５０ｃ，５０ｅ）の一部は、それぞれの長さに沿った複数の位置で、横方向および／または垂直方向に支持装置（８０）により支持されていることを特徴とする、請求項１〜１２のいずれか一項に記載の装置。
【請求項１４】
前記上昇軌道は、
前記第３のレールの側方に配置された第４の下側支持部材（４０，４０ｃ，４０ｅ）と、
前記第４のレールの側方に配置された第５及び第６の下側支持部材（４０，４０ｃ，４０ｅ）と、
前記第３のレールの上方に配置されると共に前記第４の下側支持部材（４０，４０ｃ，４０ｅ）によって支持された、平らな第４の上側支持部材（３８，３８ｃ，３８ｅ）と、
前記第４のレールの上方に配置されると共に前記第５の下側支持部材（４０，４０ｃ，４０ｅ）によって支持された、平らな第５の上側支持部材（３８，３８ｃ，３８ｅ）と、
前記第４のレールの上方に配置されると共に前記第６の下側支持部材（４０，４０ｃ，４０ｅ）によって支持された、平らな第６の上側支持部材（３８，３８ｃ，３８ｅ）とを有し、
前記第５のレールは、前記第４及び第５の上側支持部材（３８，３８ｃ，３８ｅ）の上面に取り付けられ、
前記第６のレールは、前記第６の上側支持部材（３８，３８ｃ，３８ｅ）の上面に取り付けられており、
前記第５及び第６のレール（５０，５０ｃ，５０ｅ）の表面は、前記第３及び第４のレールの表面よりも高くなっていることを特徴とする、請求項１〜１３のいずれか一項に記載の装置。
【請求項１５】
前記第５のレールは、
先端に向かうにつれて高さが低くなる傾斜部材と、
所定の湾曲半径を有する湾曲部材と、
ほぼ真っ直ぐに延びる直線状部材と、
前記第４のレールの上方に位置する渡り部材とを含み、
前記第６のレールは、
先端に向かうにつれて高さが低くなる傾斜部材と、
所定の湾曲半径を有する湾曲部材と、
ほぼ真っ直ぐに延びる直線状部材と、
前記第１のレールの上方に位置する渡り部材とを含むことを特徴とする、請求項１４に記載の装置。
【請求項１６】
請求項１〜１５のいずれか一項に記載の装置を撤去することで、前記第１の鉄道軌道に沿って列車の通常の走行を行なう方法であって、
前記第５のレール（５０，５０ｃ，５０ｅ）を前記第１の上側支持部材（３８，３８ｃ，３８ｅ）と共に前記第１のレールから取り外し、前記第６のレール（５０，５０ｃ，５０ｅ）を前記第２の上側支持部材（３８，３８ｃ，３８ｅ）と共に前記第２のレールから取り外すことを特徴とする方法。
【請求項１７】
前記第１及び第２の下側支持部材（４０，４０ｃ，４０ｅ）を適所のままにすることを特徴とする、請求項１６に記載の方法。
【請求項１８】
第１の鉄道軌道の保守または他の目的で、前記第１の鉄道軌道から第２の鉄道軌道へと列車を移動させて列車が前記第１の鉄道軌道の一部を通過しないようにすることで、前記第２の鉄道軌道における単線運転を容易にするためのシステムであって、
前記第１の鉄道軌道は、互いに離間した第１及び第２のレールを有し、
前記第２の鉄道軌道は、互いに離間した第３及び第４のレールを有し、
前記第１の鉄道軌道と前記第２の鉄道軌道とを接続することで、列車が前記第１及び第２の鉄道軌道のうち一方から他方へと走行することができる経路を構成する、第１の非割込み式渡り線と、
前記第１の鉄道軌道と前記第２の鉄道軌道とを接続することで、列車が前記第１及び第２の鉄道軌道のうち一方から他方へと走行することができる経路を構成する、第２の非割込み式渡り線とを備え、
前記第１の非割込み式渡り線と前記第２の非割込み式渡り線とは、前記第１及び第２の鉄道軌道の延在方向において互いに離間しており、
前記第１の非割込み式渡り線は、
前記第１のレールの側方に配置された第１及び第２の下側支持部材（４０，４０ｃ，４０ｅ）と、
前記第２のレールの側方に配置された第３の下側支持部材（４０，４０ｃ，４０ｅ）と、
前記第３のレールの側方に配置された第４の下側支持部材（４０，４０ｃ，４０ｅ）と、
前記第４のレールの側方に配置された第５及び第６の下側支持部材（４０，４０ｃ，４０ｅ）と、
前記第１のレールの上方に配置されると共に前記第１の下側支持部材（４０，４０ｃ，４０ｅ）によって支持された、平らな第１の上側支持部材（３８，３８ｃ，３８ｅ）と、
前記第１のレールの上方に配置されると共に前記第２の下側支持部材（４０，４０ｃ，４０ｅ）によって支持された、平らな第２の上側支持部材（３８，３８ｃ，３８ｅ）と、
前記第２のレールの上方に配置されると共に前記第３の下側支持部材（４０，４０ｃ，４０ｅ）によって支持された、平らな第３の上側支持部材（３８，３８ｃ，３８ｅ）と、
前記第３のレールの上方に配置されると共に前記第４の下側支持部材（４０，４０ｃ，４０ｅ）によって支持された、平らな第４の上側支持部材（３８，３８ｃ，３８ｅ）と、
前記第４のレールの上方に配置されると共に前記第５の下側支持部材（４０，４０ｃ，４０ｅ）によって支持された、平らな第５の上側支持部材（３８，３８ｃ，３８ｅ）と、
前記第４のレールの上方に配置されると共に前記第６の下側支持部材（４０，４０ｃ，４０ｅ）によって支持された、平らな第６の上側支持部材（３８，３８ｃ，３８ｅ）と、
前記第１の鉄道軌道の前記第１のレールと前記第２の鉄道軌道の前記第３のレールとを接続すると共に、前記第１、第４及び第５の上側支持部材（３８，３８ｃ，３８ｅ）の上面に取り付けられた第５のレール（５０，５０ｃ，５０ｅ）と、
前記第１の鉄道軌道の前記第２のレールと前記第２の鉄道軌道の前記第４のレールとを接続すると共に、前記第２、第３及び第６の上側支持部材（３８，３８ｃ，３８ｅ）の上面に取り付けられた第６のレール（５０，５０ｃ，５０ｅ）とを有し、
前記第２の非割込み式渡り線は、
前記第１のレールの側方に配置された第７及び第８の下側支持部材（４０，４０ｃ，４０ｅ）と、
前記第２のレールの側方に配置された第９の下側支持部材（４０，４０ｃ，４０ｅ）と、
前記第３のレールの側方に配置された第１０の下側支持部材（４０，４０ｃ，４０ｅ）と、
前記第４のレールの側方に配置された第１１及び第１２の下側支持部材（４０，４０ｃ，４０ｅ）と、
前記第１のレールの上方に配置されると共に前記第７の下側支持部材（４０，４０ｃ，４０ｅ）によって支持された、平らな第７の上側支持部材（３８，３８ｃ，３８ｅ）と、
前記第１のレールの上方に配置されると共に前記第８の下側支持部材（４０，４０ｃ，４０ｅ）によって支持された、平らな第８の上側支持部材（３８，３８ｃ，３８ｅ）と、
前記第２のレールの上方に配置されると共に前記第９の下側支持部材（４０，４０ｃ，４０ｅ）によって支持された、平らな第９の上側支持部材（３８，３８ｃ，３８ｅ）と、
前記第３のレールの上方に配置されると共に前記第１０の下側支持部材（４０，４０ｃ，４０ｅ）によって支持された、平らな第１０の上側支持部材（３８，３８ｃ，３８ｅ）と、
前記第４のレールの上方に配置されると共に前記第１１の下側支持部材（４０，４０ｃ，４０ｅ）によって支持された、平らな第１１の上側支持部材（３８，３８ｃ，３８ｅ）と、
前記第４のレールの上方に配置されると共に前記第１２の下側支持部材（４０，４０ｃ，４０ｅ）によって支持された、平らな第１２の上側支持部材（３８，３８ｃ，３８ｅ）と、
前記第１の鉄道軌道の前記第１のレールと前記第２の鉄道軌道の前記第３のレールとを接続すると共に、前記第７、第１０及び第１１の上側支持部材（３８，３８ｃ，３８ｅ）の上面に取り付けられた第７のレール（５０，５０ｃ，５０ｅ）と、
前記第１の鉄道軌道の前記第２のレールと前記第２の鉄道軌道の前記第４のレールとを接続すると共に、前記第８、第９及び第１２の上側支持部材（３８，３８ｃ，３８ｅ）の上面に取り付けられた第８のレール（５０，５０ｃ，５０ｅ）とを有し、
前記第５及び第６のレール（５０，５０ｃ，５０ｅ）の表面は、前記第１〜第４のレールの表面よりも高くなっており、
前記第７及び第８のレール（５０，５０ｃ，５０ｅ）の表面は、前記第１〜第４のレールの表面よりも高くなっていることを特徴とするシステム。
【請求項１９】
互いに離間した第１及び第２のレールを有する第１の鉄道軌道の保守または他の目的で、前記第１の鉄道軌道から互いに離間した第３及び第４のレールを有する第２の鉄道軌道へと列車を移動させて列車が前記第１の鉄道軌道の一部を通過しないようにすることで、前記第２の鉄道軌道における単線運転を可能にする方法であって、
前記第１の鉄道軌道と前記第２の鉄道軌道とを接続することで、列車が前記第１及び第２の鉄道軌道のうち一方から他方へと走行することができる経路を構成する、第１の非割込み式渡り線を用意する第１の工程であって、
第１及び第２の下側支持部材（４０，４０ｃ，４０ｅ）を前記第１のレールの側方に配置するステップと、
第３の下側支持部材（４０，４０ｃ，４０ｅ）を前記第２のレールの側方に配置するステップと、
第４の下側支持部材（４０，４０ｃ，４０ｅ）を前記第３のレールの側方に配置するステップと、
第５及び第６の下側支持部材（４０，４０ｃ，４０ｅ）を前記第４のレールの側方に配置するステップと、
平らな第１の上側支持部材（３８，３８ｃ，３８ｅ）を、前記第１の下側支持部材（４０，４０ｃ，４０ｅ）によって支持されるように前記第１のレールの上方に配置するステップと、
平らな第２の上側支持部材（３８，３８ｃ，３８ｅ）を、前記第２の下側支持部材（４０，４０ｃ，４０ｅ）によって支持されるように前記第１のレールの上方に配置するステップと、
平らな第３の上側支持部材（３８，３８ｃ，３８ｅ）を、前記第３の下側支持部材（４０，４０ｃ，４０ｅ）によって支持されるように前記第２のレールの上方に配置するステップと、
平らな第４の上側支持部材（３８，３８ｃ，３８ｅ）を、前記第４の下側支持部材（４０，４０ｃ，４０ｅ）によって支持されるように前記第３のレールの上方に配置するステップと、
平らな第５の上側支持部材（３８，３８ｃ，３８ｅ）を、前記第５の下側支持部材（４０，４０ｃ，４０ｅ）によって支持されるように前記第４のレールの上方に配置するステップと、
平らな第６の上側支持部材（３８，３８ｃ，３８ｅ）を、前記第６の下側支持部材（４０，４０ｃ，４０ｅ）によって支持されるように前記第４のレールの上方に配置するステップとを含み、
前記第１の鉄道軌道の前記第１のレールと前記第２の鉄道軌道の前記第３のレールとを接続する第５のレール（５０，５０ｃ，５０ｅ）が、前記第１、第４及び第５の上側支持部材（３８，３８ｃ，３８ｅ）の上面に取り付けられており、
前記第１の鉄道軌道の前記第２のレールと前記第２の鉄道軌道の前記第４のレールとを接続する第６のレール（５０，５０ｃ，５０ｅ）が、前記第２、第３及び第６の上側支持部材（３８，３８ｃ，３８ｅ）の上面に取り付けられている第１の工程と、
前記第１の鉄道軌道と前記第２の鉄道軌道とを接続することで、列車が前記第１及び第２の鉄道軌道のうち一方から他方へと走行することができる経路を構成する、第２の非割込み式渡り線を用意する第２の工程であって、
第７及び第８の下側支持部材（４０，４０ｃ，４０ｅ）を前記第１のレールの側方に配置するステップと、
第９の下側支持部材（４０，４０ｃ，４０ｅ）を前記第２のレールの側方に配置するステップと、
第１０の下側支持部材（４０，４０ｃ，４０ｅ）を前記第３のレールの側方に配置するステップと、
第１１及び第１２の下側支持部材（４０，４０ｃ，４０ｅ）を前記第４のレールの側方に配置するステップと、
平らな第７の上側支持部材（３８，３８ｃ，３８ｅ）を、前記第７の下側支持部材（４０，４０ｃ，４０ｅ）によって支持されるように前記第１のレールの上方に配置するステップと、
平らな第８の上側支持部材（３８，３８ｃ，３８ｅ）を、前記第８の下側支持部材（４０，４０ｃ，４０ｅ）によって支持されるように前記第１のレールの上方に配置するステップと、
平らな第９の上側支持部材（３８，３８ｃ，３８ｅ）を、前記第９の下側支持部材（４０，４０ｃ，４０ｅ）によって支持されるように前記第２のレールの上方に配置するステップと、
平らな第１０の上側支持部材（３８，３８ｃ，３８ｅ）を、前記第１０の下側支持部材（４０，４０ｃ，４０ｅ）によって支持されるように前記第３のレールの上方に配置するステップと、
平らな第１１の上側支持部材（３８，３８ｃ，３８ｅ）を、前記第１１の下側支持部材（４０，４０ｃ，４０ｅ）によって支持されるように前記第４のレールの上方に配置するステップと、
平らな第１２の上側支持部材（３８，３８ｃ，３８ｅ）を、前記第１２の下側支持部材（４０，４０ｃ，４０ｅ）によって支持されるように前記第４のレールの上方に配置するステップとを含み、
前記第１の鉄道軌道の前記第１のレールと前記第２の鉄道軌道の前記第３のレールとを接続する第７のレール（５０，５０ｃ，５０ｅ）が、前記第７、第１０及び第１１の上側支持部材（３８，３８ｃ，３８ｅ）の上面に取り付けられており、
前記第１の鉄道軌道の前記第２のレールと前記第２の鉄道軌道の前記第４のレールとを接続する第８のレール（５０，５０ｃ，５０ｅ）が、前記第８、第９及び第１２の上側支持部材（３８，３８ｃ，３８ｅ）の上面に取り付けられている第２の工程と、
列車を前記第１の非割込み式渡り線に沿って通す第３の工程と、
列車を、前記第１の非割込み式渡り線と前記第２の非割込み式渡り線との間で第２の鉄道軌道の一部に沿って通す第４の工程と、
前記第１の非割込み式渡り線から長手方向に間隔を隔てられた前記第１の鉄道軌道上の位置まで列車が戻されるように、列車を前記第２の非割込み式渡り線に沿って通す第５の工程とを有することを特徴とする方法。
【発明の詳細な説明】
【技術分野】
【０００１】
本発明は、鉄道軌道の分岐器／渡り線部分に関し、詳細には、排他的ではないが、鉄道軌道の一時的な非割込み敷き分岐器／渡り線部分を設けることに関する。
【背景技術】
【０００２】
鉄道軌道は、規則正しい間隔に維持されることが必要であり、これをなすために、列車が、維持されている軌道の部分に触れずに通らなければならない。軌道は、通常、しばしば無列車期間中、通行遮断され、また、かかる期間内では、列車通行中止を生じるか、或いは列車は、短いまたは長い期間（封鎖）の間、他のルートへ変えられる。幾つかの場合には、列車は、限定された期間（すなわち、数時間）の間、メンテナンスを行なっている軌道から隣接した軌道へ移転され、次いで元の軌道に戻される。列車は、軌道の渡り線部分によって隣接軌道に移転され、第２の渡り線によって戻される。これは、「単線運転」（ＳＬＷ）として当業界で知られている。従来、渡り線の各々は、渡り線部分が挿入される軌道の部分が切断されなければならないと言う点で割込み式であり、これは、各鉄道軌道の既存のレールを２回切断し、一時的な渡り線を装着し、また信号送信用のインターフェースを設けるとともに切換え装置を装着することを伴う。しかしながら、このような割込み式渡り線部分は比較的高価であり、計画したり装着したりするのにかなり長い時間を必要とし、計画段階だけで約２年かかることがある。この問題を解決する唯一の他の公知な代案は、メンテナンス位置の前後で最も近い永久的な渡り線部分のところで列車を渡らせることであるが、これらの渡り線部分は多マイル離れており、かくして、軌道のたった数メートルに修理またはメンテナンスを必要とする場合、列車を多マイルの間、両方向用の１つの軌道線路に割当てるか、（すなわち、ＳＬＷ）、或いは別のルートに広範囲にわたって移し、かくして不十分および遅れが生じる。
【発明の開示】
【発明が解決しようとする課題】
【０００３】
また、レール産業界の人は、日中に列車の使用および夜間に作動する貨物列車を必要とする乗客の間で対立があり、かくして、かかる修理およびメンテナンスを行なうのにほとんど時間がないことはわかるであろう。最も重要な難点はコストの効率的なメンテナンスのための軌道への接近である。
【０００４】
当業者には、渡り線を形成するために、分岐器を単独で使用することもでき、或いは他の分岐器と組み合わせることもできることは理解されるであろう。
【０００５】
本願の内容において、非割込み式渡り線が、横切られるべきレールを通らないが、その代わり、横切られるべきレールの上方を横切る渡り線であることは気づくべきである。
【課題を解決するための手段】
【０００６】
本発明の第１の態様によれば、列車の車輪が１つの鉄道軌道から他の鉄道軌道へ走行することができる経路を構成するようになっている上昇軌道表面を備えている鉄道軌道用の分岐器装置であって、上昇軌道表面が、列車の車輪が前記鉄道軌道に触れずに通過するように配置されるような十分な高さのものである、鉄道軌道用の分岐器装置が提供される。
【０００７】
本発明の第１の態様によれば、列車を１つの鉄道軌道から第２の鉄道軌道へ移転させる方法であって、
列車の車輪が第１の鉄道軌道から第２の鉄道軌道まで走行することができる経路を構成するようになっている上昇軌道表面を用意する工程と、
列車を第１の軌道に沿って前記上昇軌道表面上へ駆動する工程と、を備えており、前記上昇軌道表面が、列車の車輪が第１および第２の鉄道軌道のうちの少なくとも一方に触れずに通過するように配置されるような十分な高さのものである方法が提供される。
【０００８】
本発明は短い長さの単線運転を許容すると言う利点を有している。
【０００９】
好ましくは、渡り線は一対の前記分岐器を備えている。
【００１０】
本発明の第２の態様によれば、保守または他の目的で第１鉄道軌道に触れずに第２鉄道軌道における単線運転を容易にするための装置であって、列車の車輪が、第１の鉄道軌道から第２の鉄道軌道まで、および第２の鉄道軌道から第１の鉄道軌道まで走行することができる経路を構成するために、第１の非割込み式渡り線と、一対の鉄道軌道の長さ方向軸線の方向に第１の非割込み式渡り線から間隔を隔てられた第２の非割込み式渡り線とを備えている装置が提供される。
【００１１】
また、本発明の第２の態様によれば、保守または他の目的で第１鉄道軌道に触れずに第２鉄道軌道における単線運転を可能にする方法であって、
第１の非割込み式渡り線を用意する工程と、
一対の鉄道軌道の長さ方向軸線の方向に第１の非割込み式渡り線から間隔を隔てられた位置に第２の非割込み式渡り線を用意する工程と、
列車を前記第１の非割込み式渡り線に沿って通す工程と、
列車を第１および第２の非割込み式渡り線間で第２の鉄道軌道の一部に沿って通す工程と、
第１の非割込み式渡り線から長さ方向に間隔を隔てられた第１の鉄道軌道上の位置まで列車が戻されるように、列車を第２の非割込み式渡り線に沿って通す工程と、を備えている方法が提供される。
【００１２】
代表的には、第１および／または第２の非割込み式渡り線は上昇軌道表面を備えており、好ましくは、この上昇軌道表面には、列車の通過を考慮に入れて支持手段が設けられている。
【００１３】
代表的には、第１および第２の非割込み式渡り線の各々は一対の分岐器を備えており、好ましくは、各対の分岐器は一対のレールを備えている。
【００１４】
代表的には、分岐器の各レールは更に、傾斜面を備えており、傾斜面は、好ましくは、高さの低いまたは無い端部から高さの比較的高い端部までテーパ状である。より好ましくは、傾斜面は高さの低い或いは無い端部から高さの比較的高い端部まで線状のテーパを有しており、好ましくは、高さの比較的高い端部は上昇軌道表面と同じ高さである。代表的には、傾斜面の高さの比較的高い端部は上昇軌道表面の端部と隣接しており、これら両者が合同して、組み合わせで上昇軌道表面を形成する一対の上昇レール間にほぼ等しい距離を維持しながら、車輪が走行する経路を構成する。好ましくは、傾斜面は、好ましくは、同時に傾斜して、代表的には、夫々のレールに対する高さの差を回避する。
【００１５】
第１の実施形態では、上昇軌道表面の各レールの少なくとも一部には、代表的にはレール頭部分の下方にスロットが形成されており、このスロットは横切られるレールの上方またはまわりに位置するように配置され、レール頭部分は横切られる前記レールに解放可能に固定される。
【００１６】
第２の好適な実施形態では、代表的にはクロッシングレールまたは切換えレールの一部を構成する上昇軌道表面の各レールの少なくとも一部は、好ましくは横切られるレールの上方またはまわりに位置するように配置される支持部材の上方またはまわりに位置するように配置されるレール頭部分を備えている。好ましくは、支持部材は、その長さ方向軸線を親レールのレールと平行にして配置される。好ましくは、支持部材は少なくとも１つの上側支持部材および少なくとも１つの下側支持部材よりなる。上側支持部材は平らであり、より好ましくは、上側支持部材の上面は上昇軌道の下面の少なくとも一部に取付けられる。
【００１７】
好ましくは、代表的には傾斜面である、上昇軌道表面の少なくとも他の部分は、親レールおよび固定手段により支持される。
【００１８】
代表的には、上側の平らな支持部材は第１および第２の鉄道軌道のうちの一方の既存のレールより実質的に幅広い。
【００１９】
好ましくは、上側の平らな支持部材は、形状が矩形であり、より好ましくは、プレートの形態である。
【００２０】
好ましくは、上側支持部材の長さの少なくとも一部に沿って一対のガイド手段が設けられる。好ましくは、このガイド手段は、上側支持部材の長さ方向軸線と平行に延び、より好ましくは、使用中、第１および第２の既存の鉄道軌道の既存レールを跨ぐために下方に突出している。
【００２１】
好ましくは、既存のレールの少なくとも一部の両側に、一対の下側支持部材が設けられる。
【００２２】
好ましくは、一対の下側支持部材は合同して既存の鉄道軌道に沿って上側支持部材と実質的に同様な形状、幅および位置をなし、そして上側支持部材に解放可能に係合され、好ましくは、解放可能に固定されており、上側の平らな支持部材の下面は好ましくは下側支持部材の最上面に位置する。
【００２３】
変更例として、両下側支持部材は、合同して上側支持部材より長いおよび／または幅広い。
【００２４】
好ましくは、渡り線の１つまたはそれ以上の部分を第１および／または第２の既存の鉄道軌道との係合から取外すことによって、列車が第１および第２の既存の鉄道軌道間で走行しない場合、第１および／または第２の既存の鉄道軌道に沿った列車の通常の走行が許容され得る。好ましくは、１つまたはそれ以上の取外し可能な部分は、少なくとも傾斜面と、上昇軌道表面の第１部分と、少なくとも上側の支持部材とよりなり、上昇軌道表面の第２部分および少なくとも下側の支持部材を適所のままにする。
【００２５】
代表的には、好ましくは以前と同じ部分である上昇軌道表面の少なくとも一部は、レール頭部分の上に、或いはより詳細には、クロッシングレールに関する場合、上昇渡り部材の上に形成されており、この上昇渡り部材の高さは、列車の車輪のフランジ部分の深さに少なくとも等しく、好ましくは、それより大きい。
【００２６】
代表的には、上昇軌道表面は複数のレール部材を備えており、これらのレール部材のうちの１つまたはそれ以上は、鉄道軌道のうちの１つから他の鉄道軌道に向かって湾曲半径を有している。
【００２７】
好ましくは、複数のレール部材は合同して実質的に連続したレール表面を有する分岐器を構成し、そして、下記の構成部品：
列車の車輪を上昇高さまで上昇させるようになっている傾斜部材と、
列車を鉄道軌道のうちの１つから他の鉄道軌道に向けて付勢するようになっている湾曲半径のレールと、
列車を１つの軌道の湾曲半径のレールから他の軌道に向けて移転するようになっているほぼまっすぐなレールと、
列車を第１および第２の既存の鉄道軌道の内側レールの上方を上昇高さで通過させるようになっている渡りレールと、を有している。
【００２８】
代表的には、ほぼまっすぐなレールのような上昇軌道表面の少なくとも一部は、その長さに沿った複数の位置で横方向および／または垂直方向に支持装置により支持されている。好ましくは、この支持装置は複数のポット枕木構造体よりなる。
【００２９】
好ましくは、１つまたはそれ以上の分岐器は一時的な分岐器であり、より好ましくは、非割込み式分岐器である。
【００３０】
本発明の第３態様によれば、鉄道軌道のレールを支持するためのポット枕木であって、
レールが連結され得る使用中に実質的に平らな上面を有するボディと、
この上面に対して角度をなして下方に延びていて、地面と接触するための下側接触縁部を有している前面および後面と、
これらの前面および後面より大きい距離にわたって上面に対して角度をなして下方に延びている一対の側端部と、を備えているポット枕木が提供される。
【００３１】
第３態様の本発明は、一対の側端部が、使用中、地面の中に突出し、それのよりポット枕木の横方向（側部―側部）移動に対する抵抗を与え、一方、ポット枕木の主重量はほぼ平らな上面の接触縁部および／または下側により支えられる。
【００３２】
好ましくは、前記下側接触縁部は前面および後面の横断面積より大きい横断面積を有している。
【００３３】
好ましくは、前面および後面は上面と合同して逆Ｕ字形のボディを構成し、一対の側端部は合同してＵ字形のボディの長さ方向軸線を閉じる。好ましくは、ボディは中空であり、この中空のボディは充填材量で部分的に或いは全体的に埋められてもよく、より好ましくは、接触縁部は、使用中水平な平面上に大きい表面積をボディに与えるようにボディから内方または外方に（好ましくは外方に）突出するリップにより形成されている。
【００３４】
代表的には、上面には、レールへのポット枕木の結合を許容するために結合機構が設けられている。好ましくは、第１ポット枕木を第２ポット枕木に結合するために連結機構が設けられ、この連結機構は第１および第２のポット枕木間に延びている実質的に剛性の部材を有してもよい。代表的には、実質的に剛性の部材は、既存の鉄道軌道のレールの下を通るように配置される。
【００３５】
好ましくは、ポット枕木は振動機構手段であってもよい機械的手段により地面の敷き砂利の中へ打ち込まれる。代表的には、使用中、ポット枕木の高さを維持／増大するために、更なる敷き砂利または他の材料がポット枕木の中空ボディに挿入されてもよい。
【発明を実施するための最良の形態】
【００３６】
添付図面を参照して本発明の実施形態を単に例として以下に説明する。
【００３７】
図１は本発明の第１実施の形態による一般に１０として示される非割込み式分岐器を示している。非割込み式渡り線を設けるために、２つの間隔を隔てられた非割込み式分岐器１０が軌道の一部に利用されることは、読者にはわかるであろう。
【００３８】
図１に示すように、一時的な非割込み式分岐器１０は、南行きのレール軌道１２と北行きのレール軌道１４とを接合し、北行きのレール軌道１４に沿って南に走行するように南行きのレール軌道１２からすでに移転された列車を南行きのレール軌道１２に戻すことができるようになっている。このようにして、南行きのレール軌道１２′の一部を修理したり保守したりすることができる。熟練した読者は、他の移転路を装着し、採用することができることはわかるであろう。
【００３９】
一時的な非割込み式分岐器１０は多数の構成部品を備えており、これらの構成部品を以下に説明する。
【００４０】
一時的な非割込み式分岐器１０は、一対の分岐器軌道１６、１８と、複数の一時的な枕木２０とを備えている。参照容易のために、分岐器軌道１６を左側分岐器軌道１６と称し、分岐器軌道１８を右側分岐器軌道１８と称する。
【００４１】
左側分岐器軌道１６は図１の左側から傾斜レール２２Ｌを備えている。この傾斜レール２２Ｌの最上部分は、最上面が、０ｍｍの高さを有するその左側最端部からほぼ５０ｍｍの高さを有するその右側最端部まで直線状にテーパになっている楔形状であり、この直線状のテーパは図７Ｂ、図２５Ａおよび２５Ｂで最も良くわかる。これらの図は、テーパの角度が比較的緩やかであるように、傾斜レールが１７００ｍｍの領域において十分な長さを有することを示している。傾斜レール２２Ｌは、図５に示すように、Ｇクランプ機構３２によって北行きの左側レール軌道１４Ｌに結合されているが、他の種類のクランプ機構を利用することができることはわかるべきである。
【００４２】
傾斜レール２２はレール軌道１２、１４の平らな上面に位置している頭部分５１を備えている。首部分５３がこの頭部分５１の内側最縁部から下方に延びており、この場合、首部分５３はレール軌道１２、１４の内面の形状に実質的に合致するような形状になっている。
【００４３】
Ｇクランプ機構３２はＧ形のクランプ３４を備えており、このクランプの一端は、首部分５３と反対側のレール軌道１２、１４の起立面を取り囲んでいて、これに圧縮されている。バイス３６が、Ｇ形のクランク３４の他端部から傾斜レール２２の首部分５３に向かって延びており、このバイス３６を首部分５３としっかり連結することができるようになっている。好ましくは、このバイス３６は、短時間で容易に組み立てたり分解したりすることができる種類のものである。
【００４４】
傾斜レール２２Ｌから左から右へ続いて、左側分岐器軌道１６は次に切換えレール２４Ｌを備えており、この切換えレール２４Ｌの左側最端部は、図７ｂに示すように、傾斜レール２２Ｌｍｐ右側最端部に突当たるように配置されている。図６に示すように、切換えレール２４Ｌ、２４Ｒは夫々の頭部分５５Ｌ、５５Ｒを備えており、また切換えレール２４Ｌ、２４Ｒは、南行きのレール軌道１２に向けて、かくして北行きのレール軌道１４から離れる方にその長さに沿って内方に湾曲されている。換言すると、傾斜レール２２Ｌに隣接した方の切換えレール２４Ｌの端部は北行きのレール軌道１４Ｌのすぐ上に位置決めされており、切換えレール２４Ｌの反対端部は北行きのレール軌道１４Ｌからずらされている。それにもかかわらず、頭部分５５Ｌはその長さに沿って水平方向に配置されてほぼ５０ｍｍの直線高さを有している。切換えレール２４Ｌも首部分５７Ｌを備えている。有利には、図４に示すように、首部分５７Ｌには、スロットが傾斜レール２２Ｌに最も近い切換えレール２４Ｌの端部のところに形成されており、北行きのレール軌道１４Ｌの最上部分が前記スロットを通って内方に突出することができるようになっている。
【００４５】
変更例として、スロットを省いてもよく、首部分５７Ｌが、北行きのレール軌道１４Ｌの内面の形状にならっていてもよい。切換えレール２４Ｌは、図５のＧクランプ機構３２と同様に作用するＧクランプ機構６２によって北行きのレール軌道１４Ｌに解放可能に固着されている。Ｇクランプ機構６２は図４に示すように同様なＧ形のクランプ６４およびバイス６６を備えている。切換えレール２４Ｌは、その中間および右側最端部のところでＧクランプ６２および一時的な枕木２０によって下側から支持されている。なお、語「内面」は、夫々の分岐器軌道１６、１８がそらされている面であると言う意味で使用されている。
【００４６】
傾斜レール２２Ｌから左から右へ続いて、左側分岐器軌道１６は次にガットレール２６Ｌを備えている。このガットレール２６Ｌは、広くは１２、１４のような普通のレール軌道のＩ形の横断面と同様であるＩ形の横断面を有している。ガットレール２６Ｌは切換えレール２４Ｌの湾曲半径とほぼ同じ半径で曲り続けている。北行きのレール軌道１４Ｌに対するガットレール２６Ｌの締め付け機構は後述の図８に示すようなものと同様である。ガットレール２６Ｌもまた、その平らな水平方向の上面が南行きのレール軌道１２、従って北行きのレール軌道１４のほぼ５０ｍｍ上方になるように締め付け機構および一時的な枕木２０によって下側から支持されている。
【００４７】
この時点まで、右側分岐器軌道１８は左側分岐器軌道１６のものとほぼ同じである。何故なら、右側分岐器軌道１８は、図１の左から右に向かって、傾斜レール２２Ｒ、切換えレール２４Ｒおよびガットレール２６Ｒを備えているからである。
【００４８】
左側分岐器軌道１６は、ガットレール２６Ｌの後に左から右に向かって、まっすぐなレール２８Ｌを備えており、かくして、このレール２８Ｌは湾曲半径を有しておらず、これもまた、その平らな水平方向の上面が南行きのレール軌道１２、従って北行きのレール軌道１４のほぼ５０ｍｍ上方になるように一時的な枕木２０によって支持されている。
【００４９】
まっすぐなレール２８Ｌからすぐ続いて、左側分岐器軌道１６はクロッシングレール３０Ｌを備えており、このクロッシングレール３０Ｌは広くは後述のクロッシングレール３０Ｒと同様である。
【００５０】
ガットレール２６Ｒからすぐ続いて、右側分岐器軌道１８は図２および図３Ａおよび３Ｂに示されるクロッシングレール３０Ｒを備えている。このクロッシングレール３０Ｒは、その両端の方向の且つその両端にほぼＩ形の横断面を有しており、この横断面は既存の南行きのレール軌道１２および北行きのレール軌道１４とほぼ同じＩ形の横断面である。かくして、クロッシングレール３０Ｒは、その両端の方向に且つその両端に頭部分５９および首部分６１を備えている。しかしながら、クロッシングレール３０Ｒの中間点のまわりでクロッシングレール３０Ｒの長さの一部に沿ってスロットまたはギャップ３１が設けられており、図３Ｂで最もはっきり示されるように、スロット３１の領域には首部分６１が無い。クロッシングレール３０Ｒは、北行きのレール軌道１４Ｌがスロット３１内に位置するように、北行きのレール軌道１４を横切って位置するように配置されている。従って、クロッシングレール３０Ｒもまた、その頭部分５９が南ほぼ５０ｍｍの高さを有するように一時的な枕木２０によって下側から支持されており、且つクロッシングレール３０Ｒが水平であるように配置されているので、クロッシングレール３０Ｒの最上表面は南行きのレール軌道１２および北行きのレール軌道１４の最上表面よりほぼ５０ｍｍ高い。
【００５１】
右側分岐器軌道１８は、次に、右から左へクロッシングレール３０Ｒのすぐ後に、先に述べたまっすぐなレール２８Ｌと機能および構成が同じであるまっすぐなレール２８Ｒを備えている。同様に、クロッシングレール３０Ｌは、これが南行きのレール軌道１２Ｒを横切っている以外は、機能および構成がクロッシングレール３０Ｒとほぼ同じである。
【００５２】
左側分岐器軌道１６は、右から左へクロッシングレール３０Ｌの後に、ガットレール４２Ｌを備えており、その後に切換えレール４４Ｌが設けられており、この切換えレール４４Ｌの後に傾斜レール４６Ｌが設けられており、これらのレールは、それぞれ機能および構成がガットレール２６Ｌ、切換えレール２４Ｌおよび傾斜レール２２Ｌとほぼ同じである。
【００５３】
右側分岐器軌道１８は、右から左へまっすぐなレール２８Ｒから続いて、ガットレール２２Ｒを備えており、その後に切換えレール４４Ｒが設けられており、この切換えレール４４Ｒの後に傾斜レール４６Ｒが設けられており、これらのレールは、それぞれ機能および構成がガットレール２６Ｒ、切換えレール２４Ｒおよび傾斜レール２２Ｒとほぼ同じである。
【００５４】
図８に示すように、ガットレール４２Ｌ、４２Ｒ（かくして、ガットレール２６Ｌ，２６Ｒ）はＪブロック構造体６８Ｌ、６８Ｒおよび長いＧクランプ機構７０Ｌ、７０Ｒによって南行きのレール軌道１２Ｌ、１２Ｒに締め付けられている。Ｊブロック構造体６８Ｌおよび長いＧクランプ機構７０Ｌを以下に説明するが、当業者は、Ｊブロック構造体６８Ｒおよび長いＧクランプ機構７０Ｒが、１８０°回転されている以外はＪブロック構造体６８Ｌおよび長いＧクランプ機構７０Ｌとほぼ同じであることをわかるであろう。
【００５５】
ガットレール４２Ｌは、Ｊブロック構造体６８Ｌによって南行きのレール軌道１２Ｌから間隔を隔てられており、このＪブロック構造体６８Ｌは、好ましくは、レール間の設定距離を維持するためにレールの中心に嵌まり込むような形状である任意に硬質材料から形成されている。図８に示すように、Ｊブロック構造体６８Ｌは、ガットレール４２Ｌを南行きのレール軌道１２Ｌから水平方向に間隔を隔てるだけではなく、両者を垂直方向に間隔を隔てて、ガットレール４２Ｌの水平配置の最上表面が南行きのレール軌道１２Ｌのほぼ５０ｍｍ垂直方向上方にあるように、配置されている。Ｇクランプ機構７０Ｌは、Ｊブロック構造体６８Ｌを介してガットレール４２Ｌを南行きのレール軌道１２Ｌに締付けており、Ｇクランプ機構７０Ｌもまた、レール１２Ｌ、４２ＬおよびＪブロック構造体６８Ｌまたは同様な構造体を介してバイス７６Ｌまたはボルト止め固定部を備えている。
【００５６】
なお、図９Ａに示すように、左側および右側分岐器軌道１６、１８には、ポット枕木構造体８０が設けられてもよく、２つのポット枕木構造体８０Ｌ、８０Ｒは剛性のフレーム８２Ｌ、８２Ｒを介して互いに結合されており、この剛性のフレーム８２Ｌ、８２Ｒは、ナットおよびボルト(図示せず)のような適当な固定手段８４により最外端部で互いに結合される２つの半体で設けられてもよい。
【００５７】
かくして、一時的な非進入分岐器１０に高い剛性を与えるために、ポット枕木構造体８０Ｌ、８０Ｒを、一時的な枕木２０に代えて使用することができ、或いはその場の或いは既存の材木枕木の上に設けることができる。
【００５８】
ポット枕木構造体８０は、適所に固定された単レール部分８６を備えている状態で図３３Ｂ、３４Ａに詳細に示されている。ポット枕木８０のビーム部分８４は、リップ８８を形成するように逆Ｕ字形状の各側の最下端部のところで外向きになっている中空の逆Ｕ字形の横断面を有している。ビーム部分８４の各端部には、端プレート９０が、リップ８８を通り越して垂直方向下方に突出するように取付けられており、この下方突出は、代表的には１００ｍｍの範囲である。単レール部分８６は鉄道工業界で広く知られている在来の「パンドロール」クリップ９２によりビーム部分８４に連結されている。
【００５９】
ポット枕木８０が適所にあると、端プレート９０は、リップ８８が敷き砂利（図示せず）と同一高さになるまで、敷き砂利または石（図３３Ｂには図示せず）の中へ突出する。プレート９０のこの突出は、ポット枕木構造体８０の質量を最小に保ちながら、ポット枕木８０の主軸線に対して長さ方向および直交方向の両方においてポット枕木８０に増大した横方向の安定性を与える。また、リップ８８はポット枕木８０用の大きい表面積またはフットプリントを生じ、これにより、ポット枕木８０に荷重が掛けられたとき（すなわち、列車５の通過中）、ポット枕木８０が満足な深さを超えて敷き砂利(図示せず)の中へ沈むのを回避する。
【００６０】
図１０は構成途中の非割込み式分岐器の寸法模型を示している。なお、図１０に示される寸法模型はまっすぐなレール２８Ｌ、２８Ｒおよび切換えレール４４Ｌ、４４Ｒを省いてあるが、全寸法のレール軌道１２、１４にまっすぐなレール２８Ｌ、２８Ｒおよび切換えレール４４Ｌ、４４Ｒが使用されることが予想される。
【００６１】
図１０は一対の一時的な枕木２０が敷設され、ガットレール４２Ｌ、４２Ｒが一時的な枕木２０および南行き軌道１２Ｌ、１２Ｒに固着されていることを示している。なお、また、ガットレール４２Ｒは、図１０ないし図１８に示される模型における切換えレール４４Ｌ、４４Ｒの本質的にもっと長い変更例である。クロッシングレール３０Ｌもまた、南行き軌道１２Ｒを横切るように装着されている。図１１は、次にガット／切換えレール２６Ｌが装着されており、その後、図１２に示すように、ガット／切換えレール２６Ｒが装着され、その後、図１３に示すようにクロッシングレール３０Ｒが装着されることを示している。その後、傾斜レール２２Ｌ、２２Ｒが夫々の北行きレール軌道１４Ｌ、１４Ｒに固着される。
【００６２】
図１５には、列車５の模型が、北行きレール軌道１４に沿って南に走行し、傾斜レール２２Ｌ、２２Ｒを取り付けた場合について示されている。傾斜レール２２Ｌ、２２Ｒが、列車、かくして模型列車５の車輪を、そのフランジ付き部分が普通の軌道１４Ｌ、１４Ｒの残部の高さより垂直方向にすぐ上であるように十分な量だけ、上昇させることを気づくことは重要である。かくして、図１６に示すように、模型列車５がクロッシングレール３０Ｌ、３０Ｒ上に移動すると、左側および右側分岐器軌道１６、１８は、通常、模型列車５、かくして全寸法の列車を軌道上に保つように作用する車輪７のフランジ付き部分が南行きレール軌道１４Ｌ、次いで北行きレール軌道１４Ｒに触れずに通過することができるような十分な高さである。模型５は、図１７では、図１８に示される位置に達するまで一時的な非割込み式分岐器１０を通り続けているものとして示されており、図１８は、模型５が傾斜レール４６Ｌ、４６Ｒを下だって走行し、次いで通常のように南行きレール軌道１２に沿って前方に走行しようとしていることを示している。
【００６３】
ここに記載の非割込み式分岐器１０の実施例は、一時的な非割込み式分岐器が軌道１２、１４に挿入されるべきである場合には普通であるような、レール軌道１２Ｒ、１４Ｌが切断されることを必要としないと言う大きな利点を有している。更に、当業者は、列車が１つの軌道１２から他の軌道へ実際に横切ることなしに一時的な非割込み式分岐器１０を通ることが必要であるなら、列車が一時的な非割込み式分岐器１０を迂回することができる場合ように、必要に応じて傾斜レール２２または４６を夫々の切換えレール２４または４４およびクロッシングレール３０Ｌまたは３０Ｒと共に取外すことができることをわかるであろう。
【００６４】
図１９ないし図３５を参照して本発明の別の好適な実施形態による非割込み式分岐器を以下に説明する。
【００６５】
図１９ないし図３５の非割込み式分岐器の軌道に沿った長さ方向にレール構成部品の順序は先の実施形態の場合と同じであり、すなわち、左側分岐器軌道１６の左側から、一対の傾斜レール２１、２２、次いで一対の切換えレール２３、２４、その後、一対のクロッシングレール２９、３０の順序になっている。
【００６６】
この実施形態における傾斜レール２１、２２およびこれらの傾斜レール２１、２２を連結する手段は広くは先の実施の形態のものと同様であり、かくしてこれ以上の説明は必要ではない。
【００６７】
傾斜レール２１、２２から続いて、図１９Ａ、１９Ｂは、図２４Ａ、Ｂ、Ｃと共に、一般に１００で示される一対の切換えレールユニットを示しており、これらのユニットは、切換えレール頭部５０と、平らな部材またはプレート３８と、下方に突出しているガイドフランジ６０の形態のガイド手段６０と、一対の支持部材４０と、クリップ４８の形態の支持連結手段４８とを備えている。
【００６８】
切換えレール頭部５０は、本質的に、（図３１Ａ、Ｂにおける装置の装着中に示される）Ｉ字形のレール部分の上部分の形態をとっており、切換えレールユニット１００の一端部から他端部の間に延びている。切換えレール頭部５０は、広くは先の実施の形態（図１）と同様に、南行きレール軌道１２に向かって、かくして北行きレール軌道１４から離れる方向にその長さに沿って内方に湾曲されている。
【００６９】
平らな部材またはプレート３８は寸法が矩形であって、溶接または成形などのような製造中、任意の適当な手段により切換えレール頭部５０に永久的に取付けられている。このプレート３８は切換えレールユニット１００の全長に沿って延びても延びていなくてもよく、後者の場合、切換えレール頭部５０はプレート部材３８上に張出している。これは図２７Ａ、２７Ｂで最も良くわかる。
【００７０】
一対のガイドフランジ６０は、プレート３８から下方に突出し、切換えレールユニット１００の全長に沿って既存の北行きの軌道１４と平行に延びており、そして既存の北行き軌道１４の内側軌道が一対のガイドフランジ６０間にぴったり嵌るような量だけ中心線またはプレート３８からずらされている。熟練した読者は、プレート３８の末端部にのみガイドフランジ６０が存在してもよいことをわかるであろう。
【００７１】
各支持部材４０は木材でもよく、プレートの下で既存のレールの内側および外側首部分のまわりの近くに設置し得るような横断面形状を有している。各支持部材４０の下面は、共に、製造中、或いは装着時に様々な標準の鉄道枕木の外形に合致するようになっていてもよい。一対の支持部材４０は、長さ、幅および位置がプレート３８のものとほぼ同様であるが、個々の状況パラメータ、例えば、枕木間の隙間の整合および／または大きさに応じて、もっと長いおよび／またはもっと幅広い支持部材も好適であることはわかるであろう。
【００７２】
クリップ４８は、一対の支持部材４０をプレート３８に解放可能に取付け、そして支持部材４０を垂直方向において平らな部材３８に、横方向において既存のレールにしっかり保持するように設計されている。
【００７３】
端プレート７２は、切換えレール頭部５０により生じられる張出し部から垂直方向下方に突出していて、内側支持部材４０の端部に突当たっている。
【００７４】
この実施形態では、支持部材４０が、（図２９Ａ、Ｂ，Ｃ、Ｄ、Ｅ、Ｆに示すように）鉄道軌道の通常の延長中、適所のままにされてもよいことは、読者にはわかるであろう。これは、北行きの軌道１４または南行きの軌道１２を走行している列車５の横切りが無いように、１つの鉄道軌道と他の鉄道軌道との間の列車の移転が無い場合である。変更例として、支持部材４０は、図２９Ｇに示されるように、装着の用意が整った一方の側に設置されてもよい。従って、本発明のこの実施形態では、切換えレール頭部５０および平らな部材３８は、所望に応じて、比較的容易に且つ比較的短時間で装着されたり取外されたりし得る。
【００７５】
分岐器は、切換えレールユニット１００から続いて、次に一対のガットレール２５、２６を備えている。この実施形態におけるガットレール２５、２６は広くは先の実施形態のものと同様であり、かくしてこれ以上の説明を必要としない。
【００７６】
分岐器は、ガットレール２５、２６から続いて、次に一般に２００で示される一対のクロッシングユニットを備えている（図２０Ａ、Ｂおよび図３０）。各クロッシングユニット２００は、クロッシングレール頭部５０ｃと、平らなクロッシングまたはプレート３８ｃと、ガイドフランジ６０ｃと、一対の支持部材４０ｃと、一対の端プレート７２ｃと、支持連結クリップ４８ｃとを備えている。
【００７７】
クロッシングレール頭部５０ｃは、切換えレール５０のもの（すなわち、Ｉ字形レール部分の上部分）と同じ横断面形状を有しており、南行きの軌道１２の方、かくして北行きの軌道１４から離れる方に向くようにクロッシングユニット２００の一端部と他端部との間で斜めに延びている。
【００７８】
クロッシングレール頭部５０ｃは、クロッシングユニット２００に沿ってクロッシングプレート３８ｃおよび支持部材４０ｃよりも長い距離にわたっていて、かくしてクロッシングユニット２００のいずれか一方または両方の端部に張出し部を生じてもよい。
【００７９】
クロッシングプレート３８ｃ、ガイドフランジ６０ｃ、支持部材４０ｃおよび支持連結クリップ４８ｃは広くは切換えレールユニット１００のものと同様であり、かくしてこれ以上の説明は必要でない。
【００８０】
一対の端プレート７２ｃはクロッシングレール頭部５０ｃにより生じられる張出し部から垂直方向下方に突出している。各端プレートは支持部材４０ｃの端部に突当たっている。
【００８１】
切換えレール頭部５０の端プレート７２はおよびクロッシングレール頭部５０ｃの端プレート７２ｃは、各レール頭部構成部品間のしっかりした連結を行なうために、継ぎ目板のような標準の連結手段に合うように孔付きでもよい。
【００８２】
この実施形態に記載の非割込み式分岐器１０は、先の実施形態以上に、分岐器軌道に対する追加の支持が支持部材４０、４０ｃにより行なわれていると言う利点を有しており、それでも、既存の軌道の永久的な変更（すなわち、切断）なしに、切換えレール頭部５０、クロッシングレール５０ｃ、プレート３８およびクロッシングプレートを比較的容易に取外したり装着したりし得る。
【００８３】
図２１Ａ、Ｂは以下に説明する本発明の更に別の実施形態による非割込み式分岐器のクロッシングユニットを示している。
【００８４】
一般に３００で示される部分的に支持されたクロッシングユニットは、クロッシングレール頭部５０ｄおよびテーパ状の支持部材４０ｄを備えている。
【００８５】
クロッシングレール頭部５０ｄは広くは先の実施形態のもの、例えば、５０ｃと同様であり、かくしてこれ以上の説明は必要でない。
【００８６】
テーパ状の支持部材４０ｄは、クロッシングレール５０ｄと交差点の近くの既存のレールとの間に形成された隙間に嵌り込むように楔形状である。
【００８７】
前述の実施形態の各々の場合、傾斜レール２１、２２、切換えレール２３、２４およびクロッシングレール２９、３０が取外される場合、近づいてくる列車にさらされる各ガットレール２５、２６の端部に、鉄道キャリッジ(図示せず)の下に引っ掛かるいずれの自由な物体(図示せず)をガットレール２５、２６から離れる方向に偏向させ、それにより鉄道キャリッジの脱線が生じることがあるようなかかる物体のガットレールへの突当たりを防ぐ偏向手段が設けられることが好ましい。図２１Ａ、Ｂ、Ｃ、Ｄはこの目的で可能な偏向手段を示している。各偏向手段は、適当な手段、例えば、継ぎ目板によりガットレール２５、２６の露出端部に容易に嵌合されるようになっている。傾斜レール２１、２２、切換えレール２３、２４およびクロッシングレール２９、３０の再装着に先立って、偏向手段を取外す。
【００８８】
図２３Ａ、Ｂは以下に説明する本発明の更に別の実施形態による非割込み式分岐器の切換えレールおよびクロッシングユニット用の支持手段を示している。
【００８９】
工業界で知られ、使用されている中央の水平クロッシング支持部材４０ｅは、既存のレール間に楔留めされ、そして既存の枕木７９に連結された中央の支持体７８ｃにより支持されている。これらの中央の水平クロッシング支持部材４０ｅは外側支持部材７８ｏにより支持されている外側の水平クロッシング支持部材４００ｅにより補われている。外側の水平クロッシング支持部材４００ｅと内側の水平クロッシング支持部材４０ｅとの間には、外側のパッキン楔１２０および内側のパッキン楔１２１が位置決めされている。これらの外側および内側のパッキン楔１２０、１２１は横方向および垂直方向の両方において水平クロッシング部材４０ｅ、４００ｅを固着している。
【００９０】
切換えレール頭部５０ｅおよび平らな部材３８ｅは、広くは前述のもの（図１９）と同様であり、水平クロッシング支持部材４０ｅ、４００ｅの上方に位置決めされている。
【００９１】
図２３Ｃ、Ｄには、クロッシングレールユニットに水平クロッシング支持体４０ｅおよび４００ｅを使用している同様な適応例が示されている。
【００９２】
この支持構造体は、先の実施形態以上に、現在のところ利用可能な構成部品を使用しながら、通過する列車により及ぼされる荷重を枕木および既存のレールに直接伝達し得ると言う点で利点を有している。
【００９３】
なお、本発明の実施形態は、列車を１つの軌道から他の軌道へ移転するための先の装置以上に多くの利点をもたらし、つまり、排他的ではないが、渡り線は非割込み式であり、列車の車輪がいかなる箇所でもフランジ上を走行する必要がなく、これらの実施形態は移転を行なうために回動可能な部分を必要とせず、それにより装置の機能不全の可能性を減少させ、また傾斜路の同時傾斜により、列車の車軸／台車が傾斜路を上るときに列車の車軸／台車に起こる捩れを回避する。
【００９４】
本発明の範囲を逸脱することなしに、ここに記載の実施形態に対して変更例および改良例を行なうことができる。例えば、非割込み式の一時的な分岐器１０の種々の構成部品のほぼ５０ｍｍの高さを、異なる国における列車の車輪に設けられるフランジに合うように変更することができ、且つ種々の軌道標準寸法に順応するようにすることができる。当業者は、種々の構成部品の高さが、各特定の国における列車の車輪に設けられるフランジの広がりに等しいか、或いはより好ましくはそれよりわずかに高いことが必要であるだけであることをわかるであろう。
【図面の簡単な説明】
【００９５】
【図１】本発明による一時的な非割込み式分岐器の第１実施例の平面図である。
【図２】細部１として強調された図１の分岐器の一部の平面図である。
【図３ａ】図２の断面Ｂ−Ｂを横切った横断面図である。
【図３ｂ】図２のＡ−Ａ方向に示される分岐器の一部の側面図である。
【図４】細部２として図６に示されるＧクランプの拡大図である。
【図５】細部３として示される図７ａのＧクランプの拡大図である。
【図６】図１の断面Ｃ−Ｃを横切った横断面図である。
【図７ａ】図１の断面Ｄ−Ｄを横切った横断面図である。
【図７ｂ】図７ａに示される分岐器の部分の側面図である。
【図８】図１の断面Ｅ−Ｅを横切った横断面図である。
【図９ａ】細部４として図１に示される分岐器の部分の拡大平面図である。
【図９ｂ】図９ａの断面Ｆ−Ｆを横切った横断面図である。
【図１０】装着中の本発明による図１に示される実施例とほぼ同じ一時的な非割込み式分岐器の寸法模型の斜視図である。
【図１１】更に構成中の図１０の分岐器部分の斜視図である。
【図１２】更に構成中の図１１の分岐器部分の斜視図である。
【図１３】更に構成中の図１２の分岐器部分の斜視図である。
【図１４】図１３の分岐器部分の一端部の平面図である。
【図１５】図１４の分岐器部分に入るときの列車を示している模型の斜視図である。
【図１６】分岐器部分を通って進行するときの図１５の模型の斜視図である。
【図１７】分岐器部分を通って進行するときの図１６の模型の斜視図である。
【図１８】分岐器部分の端部に近づくときの図１７の模型の斜視図である。
【図１９ａ】支持プレートに設けられた切換えレールの、図１に示されるものと別な好適な実施例の平面図である。
【図１９ｂ】図１９ａの切換えレールの横断面図である。
【図１９ｃ】図１９ａの切換えレールおよび支持プレートの平面図である。
【図１９ｄ】図１９ａの支持プレートの側面図である。
【図１９ｅ】図１９ａの切換えレールの端部の側面図である。
【図１９ｆ】図１９ｅの切換えレールの端部の端面図である。
【図２０ａ】クロッシングレールの、図１に示されるものと別な実施例の平面図である。
【図２０ｂ】図２０ａのクロッシングレールの横断面図である。
【図２０ｃ】図２０ａのクロッシングレールの端部の側面図である。
【図２０ｄ】図２０ｃのクロッシングレールの端部の端面図である。
【図２１ａ】鉄道軌道の既存のレールを横切るときの図２０ａのクロッシングレールの平面図である。
【図２１ｂ】図２１ａの線Ａ−Ａに沿ったクロッシングレールの端部の横断面図である。
【図２１ｃ】明確のために既存のレールを省いた図２１ａのクロッシングレールの平面図である。
【図２１ｄ】図２１ｃのクロッシングレールの側面図である。
【図２２ａ】図１の分岐器のガットレールに対して使用するための可能な／任意のガットレール偏向手段の側面図である。
【図２２ｂ】図１の分岐器のガットレールに対して使用するための可能な／任意のガットレール偏向手段の側面図である。
【図２２ｃ】図１の分岐器のガットレールに対して使用するための可能な／任意のガットレール偏向手段の側面図である。
【図２２ｄ】図１の分岐器のガットレールに対して使用するための可能な／任意のガットレール偏向手段の側面図である。
【図２３ａ】図１９ａの切換えレールを支持するための水平クロッシング支持部材の平面図である。
【図２３ｂ】図２３ａの水平クロッシング支持部材の横断面図である。
【図２３ｃ】図１の分岐器のクロッシングレールを支持するための別の実施例である水平クロッシング支持部材の詳細平面図である。
【図２３ｄ】図２３ｃの水平クロッシング支持部材およびクロッシングレールの横断面図である。
【図２３ｅ】渡り線を省いて図２３ｃの水平クロッシング支持部材の位置を示す平面外観図である。
【図２４ａ】本発明による分岐器の更に別の好適な実施例の斜視図である。
【図２４ｂ】図２４ａの分岐器の切換えレール、傾斜レールおよび関連した水平クロッシング支持部材の平面図である。
【図２４ｃ】本発明の第３の態様によるポット枕木の配置をも示している、図２４ａの一時的な分岐器の斜視図である。
【図２５ａ】図２４ａの分岐器の切換えレールに通じる傾斜レールの側面図である。
【図２５ｂ】図２５ａの傾斜レールの途中にある列車の車輪のうちの一方を示す側面図である。
【図２６】傾斜レールおよび締め付け機構を示す斜視図である。
【図２７ａ】装着中の図２４ａのクロッシングレールを示す斜視図写真である。
【図２８ａ】装着中の図２４ａのクロッシングレールを示す斜視図写真である。
【図２９ａ】通常の走行中、図２４ｂの支持部材の一部を通る列車を示している端面図写真である。
【図２９ｂ】通常の走行中、図２４ｂの支持部材の一部を通る列車を示している端面図写真である。
【図２９ｃ】通常の走行中、図２４ｂの支持部材の一部を通る列車を示している端面図写真である。
【図２９ｄ】通常の走行中、図２４ｂの支持部材の一部を通る列車を示している端面図写真である。
【図２９ｅ】通常の走行中、図２９ａの支持部材およびガットレールを適所に示している図である。
【図２９ｆ】通常の走行中、図２９ａの支持部材およびガットレールを適所に示している図である。
【図２９ｇ】装着前の図２９ａの支持部材を示している斜視図である。
【図３０】主軌道に触れずに図２９ａのクロッシングレールを渡る列車を示している斜視図である。
【図３１ａ】図２９ａの傾斜レールおよび切換えレールの装着中の斜視図写真である。
【図３１ｂ】図２９ａの傾斜レールおよび切換えレールの装着中の斜視図写真である。
【図３２ａ】図２４ｃのポット枕木の配置を示している平面図である。
【図３２ｂ】剛性のフレームにより連結された図２４ｃの２つのポット枕木構造体を示している平面図である。
【図３２ｃ】図２４ｃのポット枕木構造体の端面図、側面図および平面図である。
【図３３ａ】図３２ｂのポット枕木および剛性のフレームの配置を示している斜視図である。
【図３３ｂ】単レール部分が固定された図２４ｃのポット枕木構造体の斜視図である。
【図３４ａ】単レール部分が固定された図２４ｃのポット枕木構造体の側面図である。
【図３４ｂ】図２４ｃのポット枕木構造体および切換えレールをそれらの作動位置に示している斜視図である。
【図３５ａ】図２４ｃのポット枕木構造体の配置を示している斜視図写真である。
【図３５ｂ】図２４ｃのポット枕木構造体の配置を示している斜視図写真である。
【図１】
0004524183.tif 000002
【図２】
0004524183.tif 000003
【図３ａ】
0004524183.tif 000004
【図３ｂ】
0004524183.tif 000005
【図４】
0004524183.tif 000006
【図５】
0004524183.tif 000007
【図６】
0004524183.tif 000008
【図７ａ】
0004524183.tif 000009
【図７ｂ】
0004524183.tif 000010
【図８】
0004524183.tif 000011
【図９ａ】
0004524183.tif 000012
【図９ｂ】
0004524183.tif 000013
【図１０】
0004524183.tif 000014
【図１１】
0004524183.tif 000015
【図１２】
0004524183.tif 000016
【図１３】
0004524183.tif 000017
【図１４】
0004524183.tif 000018
【図１５】
0004524183.tif 000019
【図１６】
0004524183.tif 000020
【図１７】
0004524183.tif 000021
【図１８】
0004524183.tif 000022
【図１９ａ】
0004524183.tif 000023
【図１９ｂ】
0004524183.tif 000024
【図１９ｃ】
0004524183.tif 000025
【図１９ｄ】
0004524183.tif 000026
【図１９ｅ】
0004524183.tif 000027
【図１９ｆ】
0004524183.tif 000028
【図２０ａ】
0004524183.tif 000029
【図２０ｂ】
0004524183.tif 000030
【図２０ｃ】
0004524183.tif 000031
【図２０ｄ】
0004524183.tif 000032
【図２１ａ】
0004524183.tif 000033
【図２１ｂ】
0004524183.tif 000034
【図２１ｃ】
0004524183.tif 000035
【図２１ｄ】
0004524183.tif 000036
【図２２ａ】
0004524183.tif 000037
【図２２ｂ】
0004524183.tif 000038
【図２２ｃ】
0004524183.tif 000039
【図２２ｄ】
0004524183.tif 000040
【図２３】
0004524183.tif 000041
【図２３ａ】
0004524183.tif 000042
【図２３ｂ】
0004524183.tif 000043
【図２３ｃ】
0004524183.tif 000044
【図２３ｄ】
0004524183.tif 000045
【図２３ｅ】
0004524183.tif 000046
【図２４ａ】
0004524183.tif 000047
【図２４ｂ】
0004524183.tif 000048
【図２４ｃ】
0004524183.tif 000049
【図２５ａ】
0004524183.tif 000050
【図２５ｂ】
0004524183.tif 000051
【図２６】
0004524183.tif 000052
【図２７ａ】
0004524183.tif 000053
【図２８ａ】
0004524183.tif 000054
【図２９ａ】
0004524183.tif 000055
【図２９ｂ】
0004524183.tif 000056
【図２９ｃ】
0004524183.tif 000057
【図２９ｄ】
0004524183.tif 000058
【図２９ｆ】
0004524183.tif 000059
【図２９ｅ】
0004524183.tif 000060
【図２９ｇ】
0004524183.tif 000061
【図３０】
0004524183.tif 000062
【図３１ａ】
0004524183.tif 000063
【図３１ｂ】
0004524183.tif 000064
【図３２ａ】
0004524183.tif 000065
【図３２ｂ】
0004524183.tif 000066
【図３２ｃ】
0004524183.tif 000067
【図３３ａ】
0004524183.tif 000068
【図３３ｂ】
0004524183.tif 000069
【図３４ａ】
0004524183.tif 000070
【図３４ｂ】
0004524183.tif 000071
【図３５ａ】
0004524183.tif 000072
【図３５ｂ】
0004524183.tif 000073